(57)【特許請求の範囲】
【請求項１】
屋根本体部１上に所定厚みを有する第１保護材２と第２保護材３とが敷設され、第１保護材２の端縁部には、第１保護材２の端縁部支持材１０が設けられ、第２保護材３の下部には水切り枠４０が設けられ、端縁部支持材１０と水切り枠４０とは、別体として形成され、上記端縁部支持材１０に対して、水切り枠４０の取付高さが変更可能である屋根の水切り装置であって、端縁部支持材１０における立上り端縁部１２の上方内側にのこぎり刃状の係止段杆５１"が形成され、水切り枠４０"側から下垂させた被係止段杆５２"が形成され、被係止段杆５２"の下端縁部には係止段杆５１"と係合可能なのこぎり刃状の段差を有する係止部を設けて、水切り枠と端縁支持部材を係合可能とすることによって水切り枠の取付高さを変更可能としたことを特徴とする種々の第１保護材の厚みに対応できる屋根の水切り装置。
【請求項２】
上記水切り枠４０の上部には、第２保護材支持片４３'が一体に設けられていることを特徴とする請求項１記載の種々の第１保護材の厚みに対応できる屋根の水切り装置。
【発明の詳細な説明】
【０００１】
【発明の属する技術分野】
本発明は、建物において、屋根を保護するための屋根保護材の端縁部を確実に屋根本体部に支持させる屋根の水切り装置に関するものである。
【０００２】
【従来の技術】
図３及び図４には従来技術に係る屋根の水切り装置の例が示されている。図３に示す屋根の水切り装置は、屋根本体部１の上部に断熱材からなる第１保護材２と、屋根瓦からなる第２保護材３を配置する場合に用いられる屋根の水切り装置の例であり、この場合の水切り枠４は、屋根本体部１の軒先部に配置されるもので、屋根本体部１への取付部となる本体取付部４ａ、該本体取付部４ａから上方に立ち上がる立上り部４ｂ、該立上り部４ｂの上端縁部に屋根の傾斜に沿って形成される載置部４ｃ、及び、該載置部４ｃから下方に延設される下垂部４ｄと、からなる。
【０００３】
上記水切り枠４の設置に当っては、先ず水切り枠４の本体取付部４ａを屋根本体部１に短釘２０により固定し、その後、屋根本体部１上に第１保護材２を敷設した上、更にその上部及び載置部４ｃの上部には、屋根瓦（第２保護材）３を葺くことになる。
また、図４は屋根のけらば部に断熱材（第１保護材）２及び瓦（第２保護材）３を配置する場合に用いられる水切り枠４を示しており、この水切り枠４には、図３に示す水切り枠４の形状に加えて、倒立Ｌ型形状の第２保護材支持部４ｆが一体に設けられ、この第２保護材支持部４ｆにより第２保護材３の側面（端縁部）が保持されるように形成されている。
【０００４】
以上、２つの水切り枠４の例を示したが、いずれも立上り部４ｂは、略所定の高さに形成されていることから、第１保護材２の厚みが変わる毎に適用すべき水切り枠４の大きさ、即ち、立上り部４ｂの長さが違う水切り枠４を準備する必要があり、その製造上、保管・物流管理上或いは取付作業上、非効率でその管理が煩わしいという問題があった。
そこで、本発明の課題は、上記従来技術に係る水切り枠４の問題点を解消することにあり、種々の厚みの第１保護材に対しても、単一の水切り枠で済むようにすることにある。
【０００５】
【発明が解決しようとする課題】
したがって、本発明の課題は、上記問題点を解決すべく発明されたものであり、種々の厚みの保護材に対して、その高さが変更可能な汎用性が高い屋根の水切り装置を提供することにある。
【０００６】
【課題を解決するための手段】
上記課題を解決するために、請求項１記載の屋根の水切り装置は、屋根本体部１上に所定厚みを有する第１保護材２と第２保護材３とが敷設され、第１保護材２の端縁部には、第１保護材２の端縁部支持材１０が設けられ、第２保護材３の下部には水切り枠４０が設けられ、端縁部支持材１０と水切り枠４０とは、別体として形成され、上記端縁部支持材１０に対して、水切り枠４０の取付高さが変更可能である屋根の水切り装置であって、端縁部支持材１０における立上り端縁部１２の上方内側にのこぎり刃状の係止段杆５１"が形成され、水切り枠４０"側から下垂させた被係止段杆５２"が形成され、被係止段杆５２"の下端縁部には係止段杆５１"と係合可能なのこぎり刃状の段差を有する係止部を設けて、水切り枠と端縁支持部材を係合可能とすることによって水切り枠の取付高さを変更可能としたことを特徴とする種々の第１保護材の厚みに対応できる屋根の水切り装置である。
【０００７】
請求項２記載の屋根の水切り装置は、上記手段において、水切り枠４０の上部には、第２保護材支持片４３'が一体に設けられていることを特徴とする。
【０００８】
【発明の実施の態様】
以下、本発明に係る実施例及び参考例を図面に基づいて説明する。
（参考例１）
図１は、本発明に係る参考例１の縦断面図（Ａ）と要部斜視図（Ｂ）である。参考例１では、従来の水切り枠４に相当する部材としては、屋根本体部１に短釘２０により装着される端縁部支持材１０と該端縁部支持材１０と別体の水切り枠４０とからなる。参考例１においても、屋根本体部１、第１保護材２、及び第２保護材３の構造は基本的に従来技術と同様である。
端縁部支持材１０は、断面Ｌ形の長尺物のアルミ合金材で形成され、屋根本体部１に直接取り付けられる固定枠部１１と、該固定枠部１１に対して直角に形成される立上り端縁部１２とからなる。
【０００９】
一方、水切り枠４０は第１保護材２の端縁部の載置部４１と、該載置部４１の中途部から略直角状に形成されている下垂部４２とからなる。この構成において、屋根本体部１の上に第１保護材２及び第２保護材３を敷設するには、先ず、端縁部支持材１０の固定枠部１１を短釘２０で屋根本体部１に固定し、その上に第１保護材２を配置する。次いで、第１保護材２の端縁部の上部には水切り枠４０を配置し、長釘３０により屋根本体部１に固定する。そして、前記第１保護材２及び載置部４１の上方に第２保護材３を敷設する。
この参考例によれば、水切り枠４０は、第１保護材２を敷設した後、その上に水切り枠４０を配置することから、種々の第１保護材２の厚みにも対応させることができ汎用性を向上させ、その取り扱いや管理を容易にするという効果がある。
【００１０】
（参考例２）
図２は本発明に係る参考例２の縦断面図（Ａ）と要部斜視図を示している。この場合の水切り枠４０’には、参考例１に示した水切り枠４０の構成に加えて、第２保護材支持片４３’が上方に延設されている。そして、この第２保護材支持片４３’に第２保護材３の端縁部を装着させることによって、第２保護材３を、確実に水切り枠４０’を介して屋根本体部１に装着することができる。なお、参考例２における端縁部支持材１０及び水切り枠４０’の屋根本体部１に対する取り付け手段は参考例１と同じである。
【００１１】
【実施例１】
図５は実施例１を示している。この実施例１の特徴は、端縁部支持材１０”における立上り端縁部１２の上方内側に、のこぎり刃状の係止段杆５１”を形成するとともに、水切り枠４０”側から下垂させて被係止段杆５２”を形成し、その下端縁部には、係止段杆５１”と係合可能な段部を形成させて、係止部５０”を設けた点にある。
実施例１は、上記構成により、参考例１、２と同一の効果、即ち、第１保護材２の厚みにフレキシブルに対応できるとともに、端縁部支持材１０と水切り枠４０”とが係止部５０”により係合しているから、水切り枠４０”に対して下方から風に吹き上げられ、あおられるようなことがあっても水切り枠４０”が剥ぎ取られることは避けられるという効果がある。
【００１２】
【発明の効果】
本発明は、上記構成により下記の効果を奏する。請求項１記載の発明によれば、屋根本体部１上に所定厚みを有する第１保護材２と第２保護材３とが敷設され、第１保護材２の端縁部には、第１保護材２の端縁部支持材１０が設けられ、第２保護材３の下部には水切り枠４０が設けられ、端縁部支持材１０と水切り枠４０とは、別体として形成され、上記端縁部支持材１０に対して、水切り枠４０の取付高さが変更可能である屋根の水切り装置であって、端縁部支持材１０における立上り端縁部１２の上方内側にのこぎり刃状の係止段杆５１"が形成され、水切り枠４０"側から下垂させた被係止段杆５２"が形成され、被係止段杆５２"の下端縁部には係止段杆５１"と係合可能なのこぎり刃状の段差を有する係止部を設けて、水切り枠と端縁支持部材を係合可能とすることによって水切り枠の取付高さを変更可能としたことにより、種々の厚みの第１保護材２に対して、本装置を汎用的に適用させることが簡便にできる。また、端縁部支持材１０と水切り枠４０"とが係止部５０"により係合しているから、水切り枠４０"に対して下方から風に吹き上げられ、あおられるようなことがあっても水切り枠４０"が剥ぎ取られることが避けられる。
【００１３】
請求項２記載の発明によれば、上記効果に加えて、上記水切り枠４０の上部には、第２保護材支持片４３'が一体に設けられていることにより、第２保護材３端縁の支持も同時に行わせることができる。
【図面の簡単な説明】
【図１】参考例１の縦断面図（Ａ）と要部斜視図（Ｂ）
【図２】参考例２の縦断面図（Ａ）と要部斜視図
【図３】従来技術に係る縦断面図（Ａ）と要部斜視図（Ｂ）
【図４】別の従来技術に係る縦断面図（Ａ）と要部斜視図（Ｂ）
【図５】本発明に係る実施例１の部分縦断面図（Ａ）
【符号の説明】
１  ・・・屋根本体部
２  ・・・第１保護材
３  ・・・第２保護材
４  ・・・水切り枠（従来例）
４ａ  ・・本体取付部
４ｂ  ・・立上り部
４ｃ  ・・載置部
４ｄ  ・・下垂部
４ｆ  ・・第２保護材支持部
１０  ・・端縁部支持材
１０”・・端縁部支持材［実施例１］
１１  ・・固定枠部
１２  ・・立上り端縁部
２０  ・・短釘
３０  ・・長釘
４０  ・・水切り枠［参考例１］
４０’・・水切り枠［参考例２］
４０”・・水切り枠［実施例１］
４１  ・・載置部
４２  ・・下垂部
４３’・・第２保護材支持片［参考例２］
５０”・・係止部［実施例１］
５１”・・係止段杆
５２”・・被係止段杆
【図１】
0004067040.tif 000002
【図２】
0004067040.tif 000003
【図３】
0004067040.tif 000004
【図４】
0004067040.tif 000005
【図５】
0004067040.tif 000006